(57)【要約】【課題】  ２ビットの階調情報による制御回路を利用しつつ、５パターン以上の階調制御を実現可能なインクジェット式記録装置、広くは液体噴射装置を提供すること。【解決手段】  本発明は、ノズル開口を有するヘッド部材と、ノズル開口部分の液体の圧力を変動させる圧力変動手段と、吐出データに基づいて、複数の階調データから一の選択階調データを設定する階調データ設定手段と、吐出駆動信号を生成する駆動信号発生手段と、選択階調データと吐出駆動信号とに基づいて、駆動パルスを生成する駆動パルス生成手段と、駆動パルスに基づいて圧力変動手段を駆動させる制御本体部と、を備えた液体噴射装置である。階調データは、複数の連続する２ビットのデータから構成されている。【選択図】  図６
2006159511.tif 000002
【特許請求の範囲】
【請求項１】
ノズル開口を有するヘッド部材と、
ノズル開口部分の液体の圧力を変動させる圧力変動手段と、
吐出データに基づいて、複数の階調データから一の選択階調データを設定する階調データ設定手段と、
吐出駆動信号を生成する駆動信号発生手段と、
選択階調データと吐出駆動信号とに基づいて、駆動パルスを生成する駆動パルス生成手段と、
駆動パルスに基づいて圧力変動手段を駆動させる制御本体部と、
を備えた液体噴射装置であって、
階調データは、複数の連続する２ビットのデータから構成されており、
吐出駆動信号は、一周期内に複数のパルス波形を有する周期信号であり、
駆動パルス生成手段は、各階調データから吐出駆動信号の一周期に対応する矩形パルス列を生成し、当該矩形パルス列と吐出駆動信号とのＡＮＤによって駆動パルスを生成するようになっている
ことを特徴とする液体噴射装置。
【請求項２】
階調データは、２連続の２ビットのデータから構成されている
ことを特徴とする請求項１に記載の液体噴射装置。
【請求項３】
前記階調データ設定手段は、吐出データに基づいて、５以上の階調データから一の選択階調データを設定するようになっている
ことを特徴とする請求項１または２に記載の液体噴射装置。
【請求項４】
前記吐出駆動信号は、一周期中において、
所定の中量の液体滴を吐出可能な第１パルス波形と、
液体のメニスカスを振動させるが液体滴を吐出させない第２パルス波形と、
所定の中量の液体滴を吐出可能な第３パルス波形と、
所定の小量の液体滴を吐出可能な第４パルス波形と、
所定の中量の液体滴を吐出可能な第５パルス波形と、
を有する周期信号である
ことを特徴とする請求項１乃至３のいずれかに記載の液体噴射装置。
【請求項５】
第１パルス波形と、第３パルス波形と、第５パルス波形とは、互いに同一の波形を有している
ことを特徴とする請求項４に記載の液体噴射装置。
【請求項６】
第１パルス波形と、第３パルス波形と、第５パルス波形とは、互いに等間隔に出現する
ことを特徴とする請求項４または５に記載の液体噴射装置。
【請求項７】
前記吐出駆動信号は、一周期中において、第１パルス波形、第２パルス波形、第３パルス波形、第４パルス波形及び第５パルス波形を当該順に有する周期信号である
ことを特徴とする請求項４乃至６のいずれかに記載の液体噴射装置。
【請求項８】
複数の階調データは、非記録用データと、小ドット用データと、中小ドット用データと、中大ドット用データと、大ドット用データと、を有しており、
駆動パルス生成手段は、前記吐出駆動信号に基づいて、
選択階調データが非記録用データである時、第２パルス波形を駆動パルスとし、
選択階調データが小ドット用データである時、第４パルス波形を駆動パルスとし、
選択階調データが中小ドット用データである時、第１パルス波形、第３パルス波形及び第５パルス波形のうちの１つのパルス波形を駆動パルスとし、
選択階調データが中大ドット用データである時、第１パルス波形、第３パルス波形及び第５パルス波形のうちの２つのパルス波形を駆動パルスとし、
選択階調データが大ドット用データである時、第１パルス波形と第３パルス波形と第５パルス波形とを駆動パルスとするようになっている
ことを特徴とする請求項４乃至７のいずれかに記載の液体噴射装置。
【請求項９】
複数の階調データは、非記録用データと、小ドット用データと、中小ドット用データと、中中ドット用データと、中大ドット用データと、大ドット用データと、を有しており、
駆動パルス生成手段は、前記吐出駆動信号に基づいて、
選択階調データが非記録用データである時、第２パルス波形を駆動パルスとし、
選択階調データが小ドット用データである時、第４パルス波形を駆動パルスとし、
選択階調データが中小ドット用データである時、第１パルス波形、第３パルス波形及び第５パルス波形のうちの１つのパルス波形を駆動パルスとし、
選択階調データが中中ドット用データである時、第１パルス波形と第４パルス波形とを駆動パルスとし、
選択階調データが中大ドット用データである時、第１パルス波形、第３パルス波形及び第５パルス波形のうちの２つのパルス波形を駆動パルスとし、
選択階調データが大ドット用データである時、第１パルス波形と第３パルス波形と第５パルス波形とを駆動パルスとするようになっている
ことを特徴とする請求項４乃至７のいずれかに記載の液体噴射装置。
【発明の詳細な説明】
【技術分野】
【０００１】
本発明は、ノズル開口から液体滴を吐出させる液体噴射装置に関する。
【背景技術】
【０００２】
インクジェット式プリンタやインクジェット式プロッタ等のインクジェット式記録装置（液体噴射装置の一種）は、記録ヘッド（ヘッド部材）を主走査方向に沿って移動させると共に記録紙（印刷記録用媒体の一種）を副走査方向に沿って移動させ、この移動に連動して記録ヘッドのノズル開口からインク滴を吐出させることにより、記録紙上に画像（文字を含む）を記録する。このインク滴の吐出は、例えば、ノズル開口に連通した圧力発生室を膨張・収縮させることで行われる。
【０００３】
圧力発生室の膨張・収縮は、例えば、圧電振動子の変形を利用して行われる。このような記録ヘッドでは、供給される駆動パルスに応じて圧電振動子が変形し、これにより圧力室の容積が変化し、この容積変化によって圧力室内のインクに圧力変動が生じて、ノズル開口からインク滴が吐出する。
【０００４】
このような記録装置では、複数の駆動パルスを一連に接続してなる駆動信号が生成される。一方、階調情報を含む印字データが記録ヘッドに送信される。そして、当該送信された印字データに基づいて、必要な駆動パルスのみが前記駆動信号から選択されて圧電振動子に供給される。これにより、ノズル開口から吐出させるインク滴の量を、階調情報に応じて変化させている。
【０００５】
より具体的には、例えば、非記録の印字データ（階調情報００）、小ドットの印字データ（階調情報０１）、中ドットの印字データ（階調情報１０）、及び、大ドットの印字データ（階調情報１１）からなる４階調を設定したプリンタにおいては、それぞれの階調に応じて、インク量の異なるインク滴が吐出される。
【０００６】
前記のような４階調の記録を実現するためには、例えば図９に示すような駆動信号が用いられ得る。図９に示すように、この駆動信号は、期間ＰＡＴ１に配置された第１パルス信号ＰＡＰＳ１と、期間ＰＡＴ２に配置された第２パルス信号ＰＡＰＳ２と、期間ＰＡＴ３に配置された第３パルス信号ＰＡＰＳ３とを一連に接続してあり、記録周期ＰＡＴＡで繰り返し発生するパルス列波形信号である。
【０００７】
この場合、第１パルス信号ＰＡＰＳ１が第１の駆動パルスＰＡＤＰ１であり、第２パルス信号ＰＡＰＳ２が第２の駆動パルスＰＡＤＰ２であり、第３パルス信号ＰＡＰＳ３が第３の駆動パルスＰＡＤＰ３である。
【０００８】
これらの第１の駆動パルスＰＡＤＰ１、第２の駆動パルスＰＡＤＰ２及び第３の駆動パルスＰＡＤＰ３は、何れも同じ波形形状であり、それぞれ単独でインク滴を吐出可能な信号である。すなわち、これらの各駆動パルスが圧電振動子に供給されることにより、小ドットを形成し得る量のインク滴がノズル開口から吐出される。
【０００９】
この場合、図１０に示すように、圧電振動子に供給する駆動パルスの数を増減することによって、階調制御を行うことができる。例えば、駆動パルスを１つ供給することで小ドットの記録を行い、駆動パルスを２つ供給することで中ドットの記録を行い、駆動パルスを３つ供給することで大ドットの記録を行うことができる。
【００１０】
また、駆動パルスの形状を異ならせて、記録ドット径をより多様に制御する態様も広く知られている。例えば、特開平１０−８１０１２号公報に記載された駆動方法では、図１１に示すように、小ドットの記録に対応する第２パルスが、第１パルス及び第３パルスよりも小型である。
【特許文献１】特開平１０−８１０１２号公報
【発明の開示】
【発明が解決しようとする課題】
【００１１】
前述のように、２ビットの階調情報に基づいて実現できる記録（印字）のパターンは、４つである。通常は、前述のように、非記録、小ドット、中ドット及び大ドットの４パターンである。
【００１２】
しかしながら、そのような４パターンの記録では、粒状性が良くない。
【００１３】
具体的には、図９及び図１０に示すような駆動方法では、小ドットに対応する吐出重量が大きいため、淡階調の記録品質が悪い。また、中ドットと大ドットとの重量差が大きいため、中ドットと大ドットとが切り替わる濃度において粒状性が良くない。
【００１４】
図１１に示すような駆動方法では（特許文献１参照）、小ドットに対応する吐出重量が小さいため、淡階調の記録品質は改善されている。しかしながら、中ドットと大ドットとの重量差は依然として大きく、中ドットと大ドットとが切り替わる濃度においてやはり粒状性が良くない。
【００１５】
以上のような傾向は、特に画像を記録する場合に顕著に現れる。
【００１６】
一方で、３ビットの階調情報による制御を実現しようとすると、制御回路の製造等に関する各種のコストの問題が発生し得る。
【００１７】
本発明は、このような点を考慮してなされたものであり、２ビットの階調情報による制御回路を利用しつつ、５パターン以上の階調制御を実現可能なインクジェット式記録装置、広くは液体噴射装置を提供することを目的とする。
【課題を解決するための手段】
【００１８】
本発明は、ノズル開口を有するヘッド部材と、ノズル開口部分の液体の圧力を変動させる圧力変動手段と、吐出データに基づいて、複数の階調データから一の選択階調データを設定する階調データ設定手段と、吐出駆動信号を生成する駆動信号発生手段と、選択階調データと吐出駆動信号とに基づいて、駆動パルスを生成する駆動パルス生成手段と、駆動パルスに基づいて圧力変動手段を駆動させる制御本体部と、を備えた液体噴射装置であって、階調データは、複数の連続する２ビットのデータから構成されており、吐出駆動信号は、一周期内に複数のパルス波形を有する周期信号であり、駆動パルス生成手段は、各階調データから吐出駆動信号の一周期に対応する矩形パルス列を生成し、当該矩形パルス列と吐出駆動信号とのＡＮＤによって駆動パルスを生成するようになっていることを特徴とする液体噴射装置である。
【００１９】
本発明によれば、階調データが複数の連続する２ビットのデータから構成されているため、２ビットの階調データ用の従前の制御回路を利用しつつ、５パターン以上の階調制御を実現可能である。
【００２０】
例えば、階調データは、２連続の２ビットのデータから構成され得る。この場合、前記階調データ設定手段は、吐出データに基づいて、５〜８の階調データから一の選択階調データを設定するようになっていることが好ましい。
【００２１】
例えば、前記吐出駆動信号は、一周期中において、所定の中量の液体滴を吐出可能な第１パルス波形と、液体のメニスカスを振動させるが液体滴を吐出させない第２パルス波形と、所定の中量の液体滴を吐出可能な第３パルス波形と、所定の小量の液体滴を吐出可能な第４パルス波形と、所定の中量の液体滴を吐出可能な第５パルス波形と、を有する周期信号である。
【００２２】
この場合、好ましくは、第１パルス波形と、第３パルス波形と、第５パルス波形とは、互いに同一の波形を有している。また、好ましくは、第１パルス波形と、第３パルス波形と、第５パルス波形とは、互いに等間隔に出現するようになっている。更に、好ましくは、前記吐出駆動信号は、一周期中において、第１パルス波形、第２パルス波形、第３パルス波形、第４パルス波形及び第５パルス波形を当該順に有する周期信号である。
【００２３】
例えば、複数の階調データが、非記録用データと、小ドット用データと、中小ドット用データと、中大ドット用データと、大ドット用データと、を有している場合、駆動パルス生成手段は、前記吐出駆動信号に基づいて、選択階調データが非記録用データである時、第２パルス波形を駆動パルスとし、選択階調データが小ドット用データである時、第４パルス波形を駆動パルスとし、選択階調データが中小ドット用データである時、第１パルス波形、第３パルス波形及び第５パルス波形のうちの１つのパルス波形を駆動パルスとし、選択階調データが中大ドット用データである時、第１パルス波形、第３パルス波形及び第５パルス波形のうちの２つのパルス波形を駆動パルスとし、選択階調データが大ドット用データである時、第１パルス波形と第３パルス波形と第５パルス波形とを駆動パルスとするようになっていることが好ましい。
【００２４】
あるいは、複数の階調データが、非記録用データと、小ドット用データと、中小ドット用データと、中中ドット用データと、中大ドット用データと、大ドット用データと、を有している場合、駆動パルス生成手段は、前記吐出駆動信号に基づいて、選択階調データが非記録用データである時、第２パルス波形を駆動パルスとし、選択階調データが小ドット用データである時、第４パルス波形を駆動パルスとし、選択階調データが中小ドット用データである時、第１パルス波形、第３パルス波形及び第５パルス波形のうちの１つのパルス波形を駆動パルスとし、選択階調データが中中ドット用データである時、第１パルス波形と第４パルス波形とを駆動パルスとし、選択階調データが中大ドット用データである時、第１パルス波形、第３パルス波形及び第５パルス波形のうちの２つのパルス波形を駆動パルスとし、選択階調データが大ドット用データである時、第１パルス波形と第３パルス波形と第５パルス波形とを駆動パルスとするようになっていることが好ましい。
【発明を実施するための最良の形態】
【００２５】
以下、本発明の実施の形態を、図面を参照して説明する。
【００２６】
図１は、本実施の形態の液体噴射装置であるインクジェットプリンタ１の概略斜視図である。インクジェットプリンタ１において、キャリッジ２が、ガイド部材３に移動可能に取り付けられている。このキャリッジ２は、駆動プーリ４と遊転プーリ５との間に掛け渡されたタイミングベルト６に接続されている。駆動プーリ４は、パルスモータ７の回転軸に接合されている。以上のような構成により、キャリッジ２は、パルスモータ７の駆動によって、記録紙８の幅方向に移動（主走査）されるようになっている。
【００２７】
キャリッジ２における記録紙８との対向面（下面）には、記録ヘッド１０（ヘッド部材）が取り付けられている。
【００２８】
記録ヘッド１０は、図２に示すように、例えばプラスチックからなる箱体状のケース７１の収納室７２内に、櫛歯状の圧電振動子１５が一方の開口から挿入されて櫛歯状先端部１５ａが他方の開口に臨んでいる。その他方の開口側のケース７１の表面（下面）には流路ユニット７４が接合され、櫛歯状先端部１５ａは、それぞれ流路ユニット７４の所定部位に当接固定されている。
【００２９】
圧電振動子１５は、圧電体１５ｂを挟んで共通内部電極１５ｃと個別内部電極１５ｄとを交互に積層した板状の振動子板を、ドット形成密度に対応させて櫛歯状に切断して構成してある。そして、共通内部電極１５ｃと個別内部電極１５ｄとの間に電位差を与えることにより、各圧電振動子１５は、積層方向と直交する振動子長手方向に伸縮する。
【００３０】
流路ユニット７４は、流路形成板７５を間に挟んでノズルプレート１４と弾性板７７を両側に積層することにより構成されている。
【００３１】
流路形成板７５は、ノズルプレート１４に複数開設したノズル開口１３とそれぞれ連通して圧力発生室隔壁を隔てて列設された複数の圧力発生室１６と、各圧力発生室１６の少なくとも一端に連通する複数のインク供給部８２と、全インク供給部８２が連通する細長い共通インク室８３と、が形成された板材である。例えば、シリコンウエハーをエッチング加工することにより、細長い共通インク室８３が形成され、共通インク室８３の長手方向に沿って圧力発生室１６がノズル開口１３のピッチに合わせて形成され、各圧力発生室１６と共通インク室８３との間に溝状のインク供給部８２が形成され得る。なお、この場合、圧力発生室１６の一端にインク供給部８２が接続し、このインク供給部８２とは反対側の端部近傍でノズル開口１３が位置するように配置されている。また、共通インク室８３は、インクカートリッジに貯留されたインクを圧力発生室１６に供給するための室であり、その長手方向のほぼ中央にインク供給管８４が連通している。
【００３２】
弾性板７７は、ノズルプレート１４とは反対側の流路形成板７５の面に積層され、ステンレス板８７の下面側にＰＰＳ等の高分子体フィルムを弾性体膜８８としてラミネート加工した二重構造である。そして、圧力発生室１６に対応した部分のステンレス板８７をエッチング加工して、圧電振動子１５を当接固定するためのアイランド部８９が形成されている。
【００３３】
上記の構成を有する記録ヘッド１０では、圧電振動子１５を振動子長手方向に伸長させることにより、アイランド部８９がノズルプレート１４側に押圧され、アイランド部８９周辺の弾性体膜８８が変形して圧力発生室１６が収縮する。また、圧力発生室１６の収縮状態から圧電振動子１５を長手方向に収縮させると、弾性体膜８８の弾性により圧力発生室１６が膨張する。圧力発生室１６を一旦膨張させてから収縮させることにより、圧力発生室１６内のインク圧力が高まって、ノズル開口１３からインク滴が吐出される。
【００３４】
すなわち、記録ヘッド１０では、圧電振動子１５に対する充放電に伴って、対応する圧力室１６の容量が変化する。このような圧力室１６の圧力変動を利用して、ノズル開口１３からインク滴を吐出させたり、メニスカス（ノズル開口１３で露出しているインクの自由表面）を微振動させたりすることができる。
【００３５】
なお、上記の縦振動振動モードの圧電振動子１５に代えて、いわゆるたわみ振動モードの圧電振動子を用いることも可能である。たわみ振動モードの圧電振動子は、充電による変形で圧力室を収縮させ、放電による変形で圧力室を膨張させる圧電振動子である。たわみ振動モードの圧電振動子を用いる場合、縦振動モードの圧電振動子１５を用いる場合と比較して、後述する波形信号の立ち上がりと立ち下がりとの関係が逆になる（正負が反転したものとなる）。
【００３６】
記録ヘッド１０は、好ましくは、異なる複数種類の色が記録可能な多色記録ヘッドである。多色記録ヘッドは、複数のヘッドユニットを備えており、各ヘッドユニット毎に使用するインクの種類が設定される。
【００３７】
例えば、６つのヘッドユニットを備えた記録へッドでは、ブラックインクを吐出可能なブラックヘッドユニットと、シアンインクを吐出可能なシアンヘッドユニットと、ライトシアンインクを吐出可能なライトシアンヘッドユニットと、マゼンタインクを吐出可能なマゼンタヘッドユニットと、ライトマゼンタインクを吐出可能なライトマゼンタヘッドユニットと、イエローインクを吐出可能なイエローヘッドユニットとを備える。
【００３８】
以上のように構成されたプリンタ１は、記録動作時においてキャリッジ２の主走査に同期させて、記録ヘッド１０からインクをインク滴として吐出させる。一方、キャリッジ２の往復移動に連動させてプラテンを回転し、記録紙８を紙送り方向に移動（即ち副走査）させる。この結果、記録紙８には、記録データに基づく画像や文字等が記録される。
【００３９】
次に、インクジェット式プリンタの電気的構成について説明する。図３に示すように、本プリンタ１は、プリンタコントローラ２３とプリントエンジン２４とを備えている。
【００４０】
プリンタコントローラ２３は、外部インターフェース（外部Ｉ／Ｆ）２５と、各種データを一時的に記憶するＲＡＭ２６と、制御プログラム等を記憶したＲＯＭ２７と、ＣＰＵ等を含んで構成された制御部２８と、クロック信号（ＣＫ）を発生する発振回路２９と、記録ヘッド１０へ供給するための駆動信号（ＣＯＭ）を発生する駆動信号生成回路３０と、駆動信号や、印刷データ（吐出データ）に基づいて展開されたドットパターンデータ（ビットマップデータ）等をプリントエンジン２４に送信する内部インターフェース（内部Ｉ／Ｆ）３１と、を備えている。
【００４１】
外部Ｉ／Ｆ２５は、例えば、キャラクタコード、グラフィック関数、イメージデータ等によって構成される印刷データを、図示しないホストコンピュータ等から受信する。また、ビジー信号（ＢＵＳＹ）やアクノレッジ信号（ＡＣＫ）が、外部Ｉ／Ｆ２５を通じて、ホストコンピュータ等に対して出力される。
【００４２】
ＲＡＭ２６は、受信バッファ、中間バッファ、出力バッファ及びワークメモリ（図示せず）を有している。そして、受信バッファは、外部Ｉ／Ｆ２５を介して受信された印刷データを一時的に記憶し、中間バッファは、制御部２８により変換された中間コードデータを記憶し、出力バッファは、ドットパターンデータを記憶する。ここで、ドットパターンデータとは、中間コードデータをデコード（翻訳）することにより得られる印字データである。
【００４３】
ＲＯＭ２７には、各種データ処理を行わせるための制御プログラム（制御ルーチン）の他に、フォントデータ、グラフィック関数等が記憶されている。
【００４４】
制御部２８は、ＲＯＭ２７に記憶された制御プログラムに従って各種の制御を行う。例えば、受信バッファ内の印刷データを読み出すと共にこの印刷データを変換して中間コードデータとし、当該中間コードデータを中間バッファに記憶させる。また、制御部２８は、中間バッファから読み出した中間コードデータを解析し、ＲＯＭ２７に記憶されているフォントデータ及びグラフィック関数等を参照して、ドットパターンデータに展開（デコード）する。そして、制御部２８は、必要な装飾処理を施した後に、このドットパターンデータを出力バッファに記憶させる。各ドットパターンデータは、階調データ（印字データ）として、この場合２連続の２ビットのデータからなる。すなわち、制御部２８は、階調データ設定手段として機能する。
【００４５】
記録ヘッド１０の１回の主走査により記録可能な１行分のドットパターンデータが得られたならば、当該１行分のドットパターンデータが、出力バッファから内部Ｉ／Ｆ３１を通じて順次記録ヘッド１０に出力される。出力バッファから１行分のドットパターンデータが出力されると、展開済みの中間コードデータが中間バッファから消去され、次の中間コードデータについての展開処理が行われる。
【００４６】
さらに、制御部２８は、タイミング信号発生手段の一部を構成し、内部Ｉ／Ｆ３１を通じて記録ヘッド１０にラッチ信号（ＬＡＴ）やチャンネル信号（ＣＨ）を供給する。これらのラッチ信号やチャンネル信号は、駆動信号（ＣＯＭ）を構成するパルス信号の各波形要素の供給開始タイミングを規定する。
【００４７】
一方、プリントエンジン２４は、紙送り機構としての紙送りモータ３５と、キャリッジ送り機構としてのパルスモータ７と、記録ヘッド１０の電気駆動系３３と、を含んで構成してある。紙送りモータ３５は、プラテン３４（図１参照）を回転させて記録紙８を移動させ、パルスモータ７は、タイミングベルト６を介してキャリッジ２を走行させる。
【００４８】
記録ヘッド１０の電気駆動系３３は、図３に示すように、第１シフトレジスタ３６及び第２シフトレジスタ３７からなるシフトレジスタ回路と、第１ラッチ回路３９及び第２ラッチ回路４０からなるラッチ回路と、デコーダ４２と、制御ロジック４３と、レベルシフタ４４と、スイッチ回路４５と、圧電振動子１５とを備えている。
【００４９】
これらの各シフトレジスタ、各ラッチ回路、デコーダ、スイッチ回路及び圧電振動子は、それぞれ、図４に示すように、記録ヘッド１０の各ノズル開口１３毎に設けた第１シフトレジスタ３６Ａ〜３６Ｎ、第２シフトレジスタ３７Ａ〜３７Ｎ、第１ラッチ回路３９Ａ〜３９Ｎ、第２ラッチ回路４０Ａ〜４０Ｎ、テコーダ４２Ａ〜４２Ｎ、スイッチ回路４５Ａ〜４５Ｎ及び圧電振動子１５Ａ〜１５Ｎから構成されている。
【００５０】
このような電気駆動系３３によって、記録ヘッド１０は、プリンタコントローラ２３からの階調データに基づいてインク滴を吐出する。プリントコントローラ２３からの階調データ（ＳＩ）は、発振回路２９からのクロック信号（ＣＫ）に同期して、内部Ｉ／Ｆ３１から第１シフトレジスタ３６及び第２シフトレジスタ３７にシリアル伝送される。
【００５１】
ここで、プリンタコントローラ２３からの階調データは、上記したように２連続の２ビットのデータである。具体的には、本実施の形態の場合、非記録、小ドット、中小ドット、中大ドット、大ドットからなる５階調について、非記録が（００）（００）であり、小ドットが（０１）（０１）であり、中小ドットが（１０）（００）であり、中大ドットが（１０）（１１）であり、大ドットが（１１）（１１）で表されている。
【００５２】
このような階調データは、各ドット毎、即ち、各ノズル開口１３毎に設定される。そして、全てのノズル開口１３に関して階調データの前半の２ビットのデータの下位ビットのデータが第１シフトレジスタ３６（３６Ａ〜３６Ｎ）に入力され、全てのノズル開口１３に関して当該２ビットのデータの上位ビットのデータが第２シフトレジスタ３７（３７Ａ〜３７Ｎ）に入力される。
【００５３】
図３に示すように、第１シフトレジスタ３６には、第１ラッチ回路３９が電気的に接続されている。同様に、第２シフトレジスタ３７には、第２ラッチ回路４０が電気的に接続されている。そして、プリントコントローラ２３からのラッチ信号（ＬＡＴ）が各ラッチ回路３９，４０に入力されると、第１ラッチ回路３９は前記２ビットのデータの下位ビットのデータをラッチし、第２ラッチ回路４０は前記２ビットのデータの上位ビットをラッチする。
【００５４】
このように、第１シフトレジスタ３６及び第１ラッチ回路３９からなる回路ユニットと、第２シフトレジスタ３７及び第２ラッチ回路４０からなる回路ユニットは、それぞれが記憶回路として機能する。すなわち、これらの回路ユニットは、デコーダ４２に入力される前の階調データを、２ビット毎に、一時的に記憶する。
【００５５】
各ラッチ回路３９、４０でラッチされたビットデータは、デコーダ４２Ａ〜４２Ｎに入力される。デコーダ４２は、２ビットのデータ（階調データの前半）を翻訳してパルス選択データ（パルス選択情報）を生成する。パルス選択データは、２以上の複数ビットで構成され、各ビットは駆動信号（ＣＯＭ）を構成する各波形要素に対応している。そして、各ビットの内容（例えば、（０），（１））に応じて、圧電振動子１５に対する波形要素の供給／非供給が選択されるようになっている。なお、駆動信号（ＣＯＭ）及び波形要素の供給についての詳細は、後述される。
【００５６】
一方、デコーダ４２には、制御ロジック４３からのタイミング信号も入力される。制御ロジック４３は、制御部２８と共にタイミング信号発生手段として機能し、ラッチ信号（ＬＡＴ）やチャンネル信号（ＣＨ）に基づいてタイミング信号を発生する。
【００５７】
デコーダ４２によって翻訳されたパルス選択データは、上位ビット側から順に、タイミング信号によって規定されるタイミングが到来する毎にレベルシフタ４４に入力される。例えば、記録周期における最初のタイミングではパルス選択データの最上位ビットのデータがレベルシフタ４４に入力され、２番目のタイミングではパルス選択データにおける２番目のビットのデータがレベルシフタ４４に入力される。
【００５８】
続いて、全てのノズル開口１３に関して前記階調データの後半の２ビットのデータの下位ビットのデータが第１シフトレジスタ３６（３６Ａ〜３６Ｎ）に入力され、全てのノズル開口１３に関して当該２ビットのデータの上位ビットのデータが第２シフトレジスタ３７（３７Ａ〜３７Ｎ）に入力される。
【００５９】
そして、前半の２ビットのデータに関する処理と同様に、プリントコントローラ２３からの次のラッチ信号（ＬＡＴ）が各ラッチ回路３９，４０に入力されると、第１ラッチ回路３９は前記後半の２ビットのデータの下位ビットのデータをラッチし、第２ラッチ回路４０は前記後半の２ビットのデータの上位ビットをラッチする。すなわち、１ドット（画素）あたりの制御のために２つのラッチ信号が利用される。
【００６０】
各ラッチ回路３９、４０でラッチされたビットデータは、デコーダ４２Ａ〜４２Ｎに入力される。デコーダ４２は、後半の２ビットのデータを翻訳してパルス選択データ（パルス選択情報）を生成する。ここで、デコーダ４２による前半の２ビットに対する翻訳パターンと後半の２ビットに対する翻訳パターンとは、異なって設定される。本実施の形態では、デコーダ４２の翻訳パターンは、ラッチ信号（ＬＡＴ）の入力の度に交互に切り替えられるようになっている。
【００６１】
デコーダ４２によって翻訳されたパルス選択データは、上位ビット側から順に、タイミング信号によって規定されるタイミングが到来する毎にレベルシフタ４４に入力される。
【００６２】
その他、レベルシフタ４４は、電圧増幅器として機能し、パルス選択データが「１」の場合には、スイッチ回路４５を駆動できる電圧、例えば数十ボルト程度の電圧に昇圧された電気信号を出力する。
【００６３】
レベルシフタ４４で昇圧された「１」のパルス選択データは、駆動パルス生成手段及び制御本体部として機能するスイッチ回路４５に供給される。このスイッチ回路４５は、印字データの翻訳により生成されたパルス選択データに基づき、駆動信号（ＣＯＭ）に含まれる波形要素を選択して駆動パルスを生成すると共に、当該駆動パルスを圧電振動子１５に供給するものである。従って、スイッチ回路４５の入力側には、駆動信号生成回路３０からの駆動信号（ＣＯＭ）が供給されるようになっており、その出力側には圧電振動子１５が接続されている。
【００６４】
パルス選択データは、スイッチ回路４５の作動を制御する。例えば、スイッチ回路４５に加わるパルス選択データが「１」である期間中は、スイッチ回路４５が接続状態になり、駆動信号の駆動パルスが圧電振動子１５に供給される。この結果、圧電振動子１５の電位レベルが変化する。
【００６５】
一方、スイッチ回路４５に加わるパルス選択データが「０」の期間中は、レベルシフタ４４からスイッチ回路４５を作動させる電気信号が出力されない。このため、スイッチ回路４５が切断状態になり、駆動信号の駆動パルスが圧電振動子１５に供給されない。パルス選択データが「０」の期間においては、圧電振動子１５は、パルス選択データが「０」に切り換わる直前の電位レベルを維持する。
【００６６】
次に、駆動信号生成回路３０が生成する駆動信号（ＣＯＭ）と、この駆動信号によるインク滴の吐出制御について詳細に説明する。
【００６７】
図５に示す駆動信号Ａは、期間Ｔ１１に配置された第１パルス波形信号ＰＳ１と、期間Ｔ１２に配置された第２パルス波形信号ＰＳ２と、期間Ｔ１３に配置された第３パルス波形信号ＰＳ１３と、期間Ｔ１４に配置された第４パルス波形信号ＰＳ４と、期間Ｔ１５に配置された第５パルス波形信号ＰＳ５と、期間Ｔ１６に配置されたベース電圧信号ＰＳ６と、を一連に接続してあり、記録周期Ｔ１で繰り返し発生するパルス列波形信号である。本実施の形態では、各期間Ｔ１１、Ｔ１２、Ｔ１３、Ｔ１４、Ｔ１５及びＴ１６は同一時間として設定されている。
【００６８】
第１パルス波形信号ＰＳ１、第３パルス波形信号ＰＳ３及び第５パルス波形信号ＰＳ５は、何れも同じ波形形状であり、それぞれ中量のインク滴の吐出を行うための信号である。
【００６９】
すなわち、これらの各パルス波形信号ＰＳ１，ＰＳ３，ＰＳ５は、中間電位ＶＭから勾配θ１１に沿って最高電位ＶＨまで電位を上昇する第１充電要素Ｐ１１と、この最高電位ＶＨを短い時間維持する第１ホールド要素Ｐ１２と、最高電位ＶＨから急勾配θ１２に沿って最低電位ＶＬまで極く短時間で電位を下降させる第１放電要素Ｐ１３と、最低電位を維持する第２ホールド要素Ｐ１４と、最低電位ＶＬから勾配θ１３に沿って中間電位ＶＭまで電位を上昇させる第２充電要素Ｐ１５とから構成される。そして、各パルス波形信号ＰＳ１，ＰＳ３，ＰＳ５は、互いに等間隔に出現するように配置されている。
【００７０】
各パルス波形信号ＰＳ１，ＰＳ３，ＰＳ５が圧電振動子１５に供給されると、約７ｐｌのインク滴がノズル開口１３から吐出される。
【００７１】
より具体的には、第１充電要素Ｐ１１が供給されて圧電振動子１５が中間電位ＶＭから充電されることにより、圧力発生室１６の容積は、基準容積から最大容積まで膨張する。そして、第１放電要素Ｐ１３により、圧力発生室１６は最小容積まで急激に収縮する。この圧力発生室１６の収縮状態は第２ホールド要素Ｐ１４が供給されている期間に亘って維持される。この圧力発生室１６の急激な収縮及び収縮状態の保持により、圧力発生室１６内のインク圧力が急速に高まりノズル開口１３からはインク滴が吐出する。このとき吐出されるインク滴の量は、７ｐｌ程度となっている。そして、第２充電要素Ｐ１５により、メニスカスの振動を短時間で収束させるべく圧力発生室１６を膨張復帰させる。
【００７２】
第２パルス波形信号ＰＳ２は、ノズル開口１３部分のインクのメニスカスを微振動させるが、インク滴の吐出は行わない印字内微振動動作のための信号である。
【００７３】
すなわち、第２パルス波形信号ＰＳ２は、中間電位ＶＭから勾配θ２１に沿って第３高電位ＶＨ３（＜ＶＨ）まで電位を上昇する第１充電要素Ｐ２１と、この第３高電位ＶＨ３を短い時間維持する第１ホールド要素Ｐ２２と、第３高電位ＶＨ３から勾配θ２２に沿って中間電位ＶＭまで電位を降下させる第１放電要素Ｐ２３とから構成される。
【００７４】
第２パルス波形信号ＰＳ２が圧電振動子１５に供給されると、ノズル開口１３におけるインクのメニスカスが微振動される。
【００７５】
第４パルス波形信号ＰＳ４は、小量のインク滴の吐出を行うための信号である。
【００７６】
すなわち、第４パルス波形信号ＰＳ４は、中間電位ＶＭから勾配θ４１に沿って最高電位ＶＨまで電位を上昇する第１充電要素Ｐ４１と、この最高電位ＶＨを短い時間維持する第１ホールド要素Ｐ４２と、最高電位ＶＨから勾配θ４２に沿って第２高電位ＶＨ２（＞ＶＨ３）まで短時間で電位を下降させる第１放電要素Ｐ４３と、第２高電位ＶＨ２を維持する第２ホールド要素Ｐ４４と、第２高電位ＶＨ２から勾配θ４３に沿って最低電位ＶＬまで短時間で電位を下降させる第２放電要素Ｐ４５と、最低電位を維持する第３ホールド要素Ｐ４６と、最低電位ＶＬから勾配θ４４に沿って中間電位ＶＭまで電位を上昇させる第２充電要素Ｐ４７とから構成される。
【００７７】
第４パルス波形信号ＰＳ４が圧電振動子１５に供給されると、約２ｐｌのインク滴がノズル開口１３から吐出される。
【００７８】
より具体的には、第１充電要素Ｐ４１が供給されて圧電振動子１５が中間電位ＶＭから充電されることにより、圧力発生室１６の容積は、基準容積から最大容積まで膨張する。そして、第１放電要素Ｐ４３及び第２放電要素Ｐ４５により、圧力発生室１６は最小容積まで２段階で収縮する。この圧力発生室１６の収縮状態は第３ホールド要素Ｐ４６が供給されている期間に亘って維持される。この圧力発生室１６の収縮及び収縮状態の保持により、圧力発生室１６内のインク圧力が急速に高まりノズル開口１３からはインク滴が吐出する。このとき吐出されるインク滴の量は、２ｐｌ程度となっている。そして、第２充電要素Ｐ４７により、メニスカスの振動を短時間で収束させるべく圧力発生室１６を膨張復帰させる。
【００７９】
この時、図６に示すように、圧電振動子１５に供給するパルス波形信号を適宜に選択することによって、階調制御を行うことができる。すなわち、第２パルス波形信号ＰＳ２を駆動パルスとして供給することで非記録の微振動を行い、第４パルス波形信号ＰＳ４を駆動パルスとして供給することで小ドットの記録を行い、第１パルス波形信号ＰＳ１、第３パルス波形信号ＰＳ３及び第５パルス波形信号ＰＳ５のうちの１つのパルス波形信号を駆動パルスとして供給することで中小ドットの記録を行い、第１パルス波形信号ＰＳ１、第３パルス波形信号ＰＳ３及び第５パルス波形信号ＰＳ５のうちの２つのパルス波形信号を駆動パルスとして供給することで中大ドットの記録を行い、第１パルス波形信号ＰＳ１、第３パルス波形信号ＰＳ３及び第５パルス波形信号ＰＳ５の全てのパルス波形信号を駆動パルスとして供給することで大ドットの記録を行うことができる。
【００８０】
ここで、非吐出（非記録）のドットパターンデータ（階調情報（００）（００））、小ドットのドットパターンデータ（階調情報（０１）（０１））、中小ドットのドットパターンデータ（階調情報（１０）（００））、中大ドットのドットパターンデータ（階調情報（１０）（１１））及び大ドットのドットパターンデータ（階調情報（１１）（１１））に応じて生成されるパルス選択データについて、具体的に説明する。
【００８１】
デコーダ４２は、この場合、各ドットパターンデータの前半の２ビットのデータに応じて、３ビットのパルス選択データを生成する。具体的には、各ドットパターンデータの前半の２ビットのデータが（００）の場合、パルス選択データ（０１０）が生成され、各ドットパターンデータの前半の２ビットのデータが（０１）の場合、パルス選択データ（０００）が生成され、各ドットパターンデータの前半の２ビットのデータが（１０）の場合、パルス選択データ（００１）が生成され、各ドットパターンデータの前半の２ビットのデータが（１１）の場合、パルス選択データ（１０１）が生成される。
【００８２】
この３ビットのパルス選択データの最上位ビットが第１パルス波形信号ＰＳ１に対応し、２番目のビットが第２パルス波形信号ＰＳ２に対応し、３番目のビットが第３パルス波形信号ＰＳ３に対応している。
【００８３】
次に、デコーダ４２は、各ドットパターンデータの後半の２ビットのデータに応じて、２ビットのパルス選択データを生成する。具体的には、各ドットパターンデータの後半の２ビットのデータが（００）の場合、パルス選択データ（００）が生成され、各ドットパターンデータの後半の２ビットのデータが（０１）の場合、パルス選択データ（１０）が生成され、各ドットパターンデータの後半の２ビットのデータが（１１）の場合、パルス選択データ（０１）が生成される。
【００８４】
この２ビットのパルス選択データの上位ビットが第４パルス波形信号ＰＳ４に対応し、下位ビットが第５パルス波形信号ＰＳ５に対応している。
【００８５】
以上により、非吐出（非記録）のドットパターンデータ（階調情報（００）（００））からパルス選択データ（０１０００）が生成される。また、小ドットのドットパターンデータ（階調情報（０１）（０１））からパルス選択データ（０００１０）が生成される。同様に、中小ドットのドットパターンデータ（階調情報（１０）（００））からパルス選択データ（００１００）が生成され、中大ドットのドットパターンデータ（階調情報（１０）（１１））からパルス選択データ（００１０１）が生成され、大ドットのドットパターンデータ（階調情報（１１）（１１））からパルス選択データ（１０１０１）が生成される。
【００８６】
そして、パルス選択データの最上位ビットが「１」の場合には期間Ｔ１１の始端に対応する最初のタイミング信号（ラッチ信号）から期間Ｔ１２の始端に対応する２番目のタイミング信号（ＣＨ信号）までの間スイッチ回路４５（駆動パルス供給手段）が接続状態になる。また、２番目のビットが「１」の場合には、２番目のタイミング信号から期間Ｔ１３の始端に対応する３番目のタイミング信号（ＣＨ信号）までの間スイッチ回路４５が接続状態になる。同様に、３番目のビットが「１」の場合には、３番目のタイミング信号から期間Ｔ１４の始端に対応する４番目のタイミング信号（ラッチ信号）までの間スイッチ回路４５が接続状態になる。４番目のビットが「１」の場合には、４番目のタイミング信号から期間Ｔ１５の始端に対応する５番目のタイミング信号（ＣＨ信号）までの間スイッチ回路４５が接続状態になる。５番目のビットが「１」の場合には、５番目のタイミング信号から次の印刷周期Ｔ１における期間Ｔ１１の始端に対応するタイミング信号（ラッチ信号）までの間スイッチ回路４５が接続状態になる。
【００８７】
これにより、非記録のドットパターンデータに基づき、対応する圧電振動子１５には、第２パルス波形信号ＰＳ２が供給される。また、小ドットのドットパターンデータに基づき、対応する圧電振動子１５には、第４パルス波形信号ＰＳ４が供給される。また、中小ドットのドットパターンデータに基いて、第３パルス波形信号ＰＳ３が供給される。また、中大ドットのドットパターンデータに基いて、第３パルス波形信号ＰＳ３及び第５パルス波形信号ＰＳ５が供給される。また、大ドットのドットパターンデータに基いて、第１パルス波形信号ＰＳ１、第３パルス波形信号ＰＳ３及び第５パルス波形信号ＰＳ５が供給される。
【００８８】
その結果、非記録のドットパターンデータに対応して、ノズル開口１３のインクが微振動される。また、小ドットのドットパターンデータに対応して、ノズル開口１３から約２ｐｌのインク滴が１回吐出し、記録紙８上に小ドットが形成される。また、中小ドットのドットパターンデータに対応して、ノズル開口１３からは約７ｐｌのインク滴が１回吐出し、記録紙８上に約７ｐｌのインク滴による中小ドットが形成される。また、中大ドットのドットパターンデータに対応して、ノズル開口１３からは約７ｐｌのインク滴が２回吐出し、記録紙８上に合計１４ｐｌのインク滴による中大ドットが形成される。また、大ドットのドットパターンデータに対応して、ノズル開口１３からは約７ｐｌのインク滴が３回吐出し、記録紙８上に合計２１ｐｌのインク滴による大ドットが形成される。
【００８９】
以上のように、本実施の形態によれば、階調データが２連続の２ビットのデータから構成されているため、２ビットの階調データ用の従前の制御回路を利用しつつ、５パターン（非記録、小、中小、中大、大）の階調制御を実現することができる。
【００９０】
なお、本実施の形態では、第１パルス波形信号ＰＳ１、第３パルス波形信号ＰＳ３及び第５パルス波形信号ＰＳ５が同一の波形形状であり、従来より公知のマルチショット（ＭＳ）波形と同様であるため、高周波駆動に適している。
【００９１】
また、本実施の形態では、第１パルス波形信号ＰＳ１、第３パルス波形信号ＰＳ３及び第５パルス波形信号ＰＳ５が同一の波形形状であるが、互いに異なる波形形状であってもよい。
【００９２】
なお、駆動信号生成回路３０は、ＤＡＣ回路によって形成されてもよいし、アナログ回路によって形成されてもよい。
【００９３】
次に、駆動信号（ＣＯＭ）の他の例が、図７に示される。図７に示すように、駆動信号Ｂは、期間Ｔ２１に配置されたベース電圧信号ＰＳ０と、期間Ｔ２２に配置された第１パルス波形信号ＰＳ１と、期間Ｔ２３に配置された第２パルス波形信号ＰＳ２と、期間Ｔ２４に配置された第３パルス波形信号ＰＳ１３と、期間Ｔ２５に配置された第４パルス波形信号ＰＳ４と、期間Ｔ２６に配置された第５パルス波形信号ＰＳ５と、を一連に接続してあり、記録周期Ｔ２で繰り返し発生するパルス列波形信号である。
【００９４】
各パルス波形信号は、駆動信号Ａにおけるそれらと同一である。また、本実施の形態でも、各期間Ｔ２１、Ｔ２２、Ｔ２３、Ｔ２４、Ｔ２５及びＴ２６は同一時間として設定されている。また、各パルス波形信号ＰＳ１，ＰＳ３，ＰＳ５は、互いに等間隔に出現するように配置されている。
【００９５】
この場合、図８に示すように、非吐出（非記録）のドットパターンデータ（階調情報（０１）（００））、小ドットのドットパターンデータ（階調情報（００）（０１））、中小ドットのドットパターンデータ（階調情報（００）（１０））、中中ドットのドットパターンデータ（階調情報（１０）（０１））、中大ドットのドットパターンデータ（階調情報（００）（１１））及び大ドットのドットパターンデータ（階調情報（１０）（１１））の６種類のドットパターンデータが利用される。
【００９６】
デコーダ４２は、この場合、各ドットパターンデータの前半の２ビットのデータに応じて、３ビットのパルス選択データを生成する。具体的には、各ドットパターンデータの前半の２ビットのデータが（０１）の場合、パルス選択データ（００１）が生成され、各ドットパターンデータの前半の２ビットのデータが（００）の場合、パルス選択データ（０００）が生成され、各ドットパターンデータの前半の２ビットのデータが（１０）の場合、パルス選択データ（０１０）が生成される。
【００９７】
この３ビットのパルス選択データの最上位ビットがベース電圧波形ＰＳ０に対応し、２番目のビットが第１パルス波形信号ＰＳ１に対応し、３番目のビットが第２パルス波形信号ＰＳ２に対応している。
【００９８】
次に、デコーダ４２は、各ドットパターンデータの後半の２ビットのデータに応じて、３ビットのパルス選択データを生成する。具体的には、各ドットパターンデータの後半の２ビットのデータが（００）の場合、パルス選択データ（０００）が生成され、各ドットパターンデータの後半の２ビットのデータが（０１）の場合、パルス選択データ（０１０）が生成され、各ドットパターンデータの後半の２ビットのデータが（１０）の場合、パルス選択データ（１００）が生成され、各ドットパターンデータの後半の２ビットのデータが（１１）の場合、パルス選択データ（１０１）が生成される。
【００９９】
この３ビットのパルス選択データの最上位ビットが第３パルス波形信号ＰＳ３に対応し、２番目のビットが第４パルス波形信号ＰＳ４に対応し、３番目のビットが第５パルス波形信号ＰＳ５に対応している。
【０１００】
以上により、非吐出（非記録）のドットパターンデータ（階調情報（０１）（００））からパルス選択データ（００１０００）が生成される。また、小ドットのドットパターンデータ（階調情報（００）（０１））からパルス選択データ（００００１０）が生成される。同様に、中小ドットのドットパターンデータ（階調情報（００）（１０））からパルス選択データ（０００１００）が生成され、中中ドットのドットパターンデータ（階調情報（１０）（０１））からパルス選択データ（０１００１０）が生成され、中大ドットのドットパターンデータ（階調情報（００）（１１））からパルス選択データ（０００１０１）が生成され、大ドットのドットパターンデータ（階調情報（１０）（１１））からパルス選択データ（０１０１０１）が生成される。
【０１０１】
そして、パルス選択データの最上位ビットが「１」の場合には期間Ｔ２１の始端に対応する最初のタイミング信号（ラッチ信号）から期間Ｔ２２の始端に対応する２番目のタイミング信号（ＣＨ信号）までの間スイッチ回路４５（駆動パルス供給手段）が接続状態になる。また、２番目のビットが「１」の場合には、２番目のタイミング信号から期間Ｔ２３の始端に対応する３番目のタイミング信号（ＣＨ信号）までの間スイッチ回路４５が接続状態になる。同様に、３番目のビットが「１」の場合には、３番目のタイミング信号から期間Ｔ２４の始端に対応する４番目のタイミング信号（ラッチ信号）までの間スイッチ回路４５が接続状態になる。４番目のビットが「１」の場合には、４番目のタイミング信号から期間Ｔ２５の始端に対応する５番目のタイミング信号（ＣＨ信号）までの間スイッチ回路４５が接続状態になる。５番目のビットが「１」の場合には、５番目のタイミング信号から期間Ｔ２６の始端に対応する６番目のタイミング信号（ＣＨ信号）までの間スイッチ回路４５が接続状態になる。６番目のビットが「１」の場合には、６番目のタイミング信号から次の印刷周期Ｔ２における期間Ｔ２１の始端に対応するタイミング信号（ラッチ信号）までの間スイッチ回路４５が接続状態になる。
【０１０２】
これにより、非記録のドットパターンデータに基づき、対応する圧電振動子１５には、第２パルス波形信号ＰＳ２が供給される。また、小ドットのドットパターンデータに基づき、対応する圧電振動子１５には、第４パルス波形信号ＰＳ４が供給される。また、中小ドットのドットパターンデータに基いて、第３パルス波形信号ＰＳ３が供給される。また、中中ドットのドットパターンデータに基いて、第１パルス波形信号ＰＳ１及び第４パルス波形信号ＰＳ４が供給される。また、中大ドットのドットパターンデータに基いて、第３パルス波形信号ＰＳ３及び第５パルス波形信号ＰＳ５が供給される。また、大ドットのドットパターンデータに基いて、第１パルス波形信号ＰＳ１、第３パルス波形信号ＰＳ３及び第５パルス波形信号ＰＳ５が供給される。
【０１０３】
その結果、非記録のドットパターンデータに対応して、ノズル開口１３のインクが微振動される。また、小ドットのドットパターンデータに対応して、ノズル開口１３から約２ｐｌのインク滴が１回吐出し、記録紙８上に小ドットが形成される。また、中小ドットのドットパターンデータに対応して、ノズル開口１３からは約７ｐｌのインク滴が１回吐出し、記録紙８上に約７ｐｌのインク滴による中小ドットが形成される。また、中中ドットのドットパターンデータに対応して、ノズル開口１３からは約７ｐｌのインク滴と約２ｐｌのインク滴とが吐出し、記録紙８上に合計９ｐｌのインク滴による中中ドットが形成される。また、中大ドットのドットパターンデータに対応して、ノズル開口１３からは約７ｐｌのインク滴が２回吐出し、記録紙８上に合計１４ｐｌのインク滴による中大ドットが形成される。また、大ドットのドットパターンデータに対応して、ノズル開口１３からは約７ｐｌのインク滴が３回吐出し、記録紙８上に合計２１ｐｌのインク滴による大ドットが形成される。
【０１０４】
以上のように、図７に示す駆動信号Ｂを用いた場合、２ビットの階調データ用の従前の制御回路を利用しつつ、６パターン（非記録、小、中小、中中、中大、大）の階調制御を実現することができる。
【０１０５】
なお、以上の実施の形態において、圧力変動手段は圧電振動子１５によって構成されているが、圧力室１６の圧力を変化させる圧力変動手段は、圧電振動子１５に限定されるものではない。例えば、磁歪素子を圧力発生素子として用い、この磁歪素子によって圧力室１６を膨張・収縮させて圧力変動を生じさせるようにしてもよいし、発熱素子を圧力発生素子として用い、この発熱素子からの熱で膨張・収縮する気泡によって圧力室１６に圧力変動を生じさせるように構成してもよい。
【０１０６】
また、前述のように、プリンタコントローラ２３はコンピュータシステムによって構成されているが、コンピュータシステムに前記各要素を実現させるためのプログラム及び当該プログラムを記録したコンピュータ読取り可能な記録媒体２０１も、本件の保護対象である。
【０１０７】
さらに、前記の各要素が、コンピュータシステム上で動作するＯＳ等のプログラムによって実現される場合、当該ＯＳ等のプログラムを制御する各種命令を含むプログラム及び当該プログラムを記録した記録媒体２０２も、本件の保護対象である。
【０１０８】
ここで、記録媒体２０１、２０２とは、フロッピーディスク（フレキシブルディスク）等の単体として認識できるものの他、各種信号を伝搬させるネットワークをも含む。
【０１０９】
なお、以上の説明はインクジェット式記録装置についてなされているが、本発明は、広く液体噴射装置全般を対象としたものである。液体の例としては、インクの他に、グルー、マニキュア、液体電極材料、生体有機物液体等が用いられ得る。更に、本発明は、液晶等の表示体におけるカラーフィルタの製造装置にも適用され得る。
【図面の簡単な説明】
【０１１０】
【図１】本発明の一実施の形態によるインクジェット式プリンタの概略斜視図である。
【図２】記録ヘッドの内部構造を説明する断面図である。
【図３】プリンタの電気的構成を説明するブロック図である。
【図４】記録ヘッドの電気駆動系を説明するブロック図である。
【図５】駆動信号の一例を示す図である。
【図６】図５の駆動信号に基づいて生成され得る駆動パルスを説明する図である。
【図７】駆動信号の他の例を示す図である。
【図８】図７の駆動信号に基づいて生成され得る駆動パルスを説明する図である。
【図９】従来の駆動信号の一例を示す図である。
【図１０】図９の駆動信号に基づいて生成される駆動パルスを説明する図である。
【図１１】従来の駆動信号の一例を示す図である。
【符号の説明】
【０１１１】
１  インクジェット式プリンタ
２  キャリッジ
３  ガイド部材
４  駆動プーリ
５  遊転プーリ
６  タイミングベルト
７  パルスモータ
８  記録紙
１０  記録ヘッド
１１  インクカートリッジ
１２  インク室
１３  ノズル開口
１４  ノズルプレート
１５  圧電振動子
１５ａ  櫛歯状先端部
１５ｂ  圧電体
１５ｃ  共通内部電極
１５ｄ  個別内部電極
１６  圧力室
２３  プリンタコントローラ
２４  プリントエンジン
２５  外部インターフェース
２６  ＲＡＭ
２７  ＲＯＭ
２８  制御部
２９  発振回路
３０  駆動信号生成回路
３１  内部インターフェース
３３  記録ヘッドの電気駆動系
３４  プラテン
３５  紙送りモータ
３６  第１シフトレジスタ
３７  第２シフトレジスタ
３９  第１ラッチ回路
４０  第２ラッチ回路
４２  デコーダ
４３  制御ロジック
４４  レベルシフタ
４５  スイッチ回路
７１  ケース
７２  収納室
７４  流路ユニット
７５  流路形成板
７７  弾性板
８２  インク供給部
８３  共通インク室
８４  インク供給管
８７  ステンレス板
８８  弾性体膜
８９  アイランド部
【図１】
2006159511.tif 000003
【図２】
2006159511.tif 000004
【図３】
2006159511.tif 000005
【図４】
2006159511.tif 000006
【図５】
2006159511.tif 000007
【図６】
2006159511.tif 000008
【図７】
2006159511.tif 000009
【図８】
2006159511.tif 000010
【図９】
2006159511.tif 000011
【図１０】
2006159511.tif 000012
【図１１】
2006159511.tif 000013